(57)【要約】【課題】本発明は、コスト的な負担が少なくてすむ構造で、簡便にヒータ部の位置替えが行えるこたつ提供する。【解決手段】本発明は、ヒータ部１０の両側にそれぞれ昇降羽板１５を折り曲げ可能に連結した昇降モジュール１１を構成した。そして、昇降羽板２５を延ばしてヒータ部１０と共に天板部２上に載せて天板部の開口部６にヒータ部１０を位置決めたり、ヒータ部１０が最前となるよう昇降羽板１５を向き合う側に折り曲げ、最前のヒータ部１０を天板部２の開口部６から落とし込み昇降羽板１５の端側を開口縁に係止させて天板部２のの開口部下側にヒータ部１０を位置決めたりした。【選択図】      図１
2006064204.tif 000002
【特許請求の範囲】
【請求項１】
上下方向に貫通する開口部が形成された天板部を有するやぐら部と、
前記天板部の開口部に配置されるヒータ部と、
前記ヒータ部を前記天板部と同等の高さの地点とそれから低い地点とに変位させる昇降構造とを有し、
前記昇降構造が、前記ヒータ部の両側にそれぞれリンク部材を折り曲げ可能に連結した昇降モジュールから構成され、
前記昇降モジュールが、前記リンク部材を延ばして前記ヒータ部と共に前記天板上に載せることによって、前記天板の開口部に前記ヒータ部を位置決める第１モードと、前記ヒータ部が最前となるよう前記リンク部材を向き合う側に折り曲げ、最前のヒータ部を前記天板部の開口部から落とし込んで前記リンク部材の端側を開口縁に係止させることによって、前記天板の開口部下側に前記ヒータ部を位置決める第２モードとに切り替わるようにしてある
ことを特徴とするこたつ。
【請求項２】
前記第１モード時のヒータモジュールは、固定手段によって前記天板部に固定されるようにしてあることを特徴とする請求項１に記載のこたつ。
【請求項３】
前記第２モード時のヒータモジュールは、規制手段によって前記ヒータ部の振れが規制されるようにしてあることを特徴とする請求項１または請求項２に記載のこたつ。
【請求項４】
前記規制手段は、前記向き合うリンク部材間に着脱自在に介装される板状部材から構成されることを特徴とする請求項３に記載のこたつ。
【発明の詳細な説明】
【技術分野】
【０００１】
本発明は、ヒータ部の位置（高さ）を切り替え可能としたこたつに関する。
【背景技術】
【０００２】
こたつは、和式の部屋で使用するだけでなく、洋室でテーブルと同等の高さで使用するようにもなった。そのため、近時、こたつでは、通常の低位な高さのこたつや、それよりも高さの高いテーブルこたつに切り替える可能にした構造が多く登場している。
【０００３】
このような切替え式のこたつでは、一つのヒータ部で、両方の使用でも快適に足元が温められるよう、昇降構造を用いて、ヒータ部位置を、やぐら上部の天板部と同等の高さの位置と、それから低い位置とに切り替えることが行われている。
【０００４】
これには、ヒータ部が付いた部分を、やぐらから独立させて、ボルト止めによって、天板部と同等の位置とそれよりも高い位置との双方に付け替え可能とした構造や、油圧シリンダを用いた昇降機構を用いて、ヒータ部位置を変えるようにした構造がある（例えば特許文献１を参照）。
【特許文献１】特開２００２−３６４８５１号公報
【発明の開示】
【発明が解決しようとする課題】
【０００５】
ところで、こたつは、汎用性の高い家庭電器製品であるから、特に使いやすく、コスト的に安価であることが望まれる。
【０００６】
ところが、前者のボルト止めで位置替えする構造は、複数本のボルトの締結を解除したり、再び締結するなど面倒な作業が求められる。また後者の油圧シリンダを用いてヒータ部を昇降させる構造は、コスト的な負担が大きいといった問題がある。
【０００７】
そこで、本発明の目的は、コスト的な負担が少なくてすむ構造で、簡便にヒータ部の位置替えが行えるこたつを提供することにある。
【課題を解決するための手段】
【０００８】
請求項１に記載の発明は、上記目的を達成するために、昇降構造として、ヒータ部の両側にそれぞれリンク部材を折り曲げ可能に連結した昇降モジュールを採用した。そして、昇降モジュールのリンク部材を延ばしてヒータ部と共に天板部上に載せて天板部の開口部にヒータ部を位置決めたり（第１モード）、ヒータ部が最前となるようリンク部材を向き合う側に折り曲げ、最前のヒータ部を天板部の開口部から落とし込んでリンク部材の端側を開口縁に係止させて天板部の開口部下側にヒータ部を位置決めたり（第２モード）することによって、ヒータ部の位置替えが行えるようにした。
【０００９】
請求項２に記載の発明は、天板上でヒータ部が無用に位置ずれを起こさないよう、第１モード時におけるヒータモジュールが、固定手段によって天板部に固定されるようにした。
【００１０】
請求項３に記載の発明は、開口部下側でヒータ部が不要に振れないよう、第２モード時におけるヒータモジュールのヒータ部が、規制手段によって規制されるようにした。
【００１１】
請求項４に記載の発明は、こたつを使用する人の脚先が無用にリンク部材間へ進入するのを防ぐガードを兼ねるよう、規制手段として、向き合うリンク部材間に着脱自在に介装される板部材を採用した。
【発明の効果】
【００１２】
請求項１に記載の発明によれば、ヒータ部にリンク部材を組み合わせるといった簡単、かつ安価なモジュール構造、さらにはヒータ部をリンク部材と共に天板部上に載せたり、ヒータ部を天板部の開口部から落とし込んだりするといった簡単な作業で、ヒータ部の位置替えを行うことができる。
【００１３】
請求項２に記載の発明によれば、さらに上記効果に加え、天板上に載せたヒータ部が不要に位置ずれを起こさずにすむので、良好に暖房を続けることができる。
【００１４】
請求項３に記載の発明によれば、さらに上記効果に加え、開口部下側に配置されたヒータ部が振れないので、こたつを使用する人に不快感を与えずにすむ。
【００１５】
請求項４に記載の発明によれば、さらに上記効果に加え、温度上昇するヒータ部の背面側に、こたつを使用する人の脚先が触れるのを防ぐことができる。
【発明を実施するための最良の形態】
【００１６】
［一実施形態］
以下、本発明を図１〜図８に示す一実施形態にもとづいて説明する。
【００１７】
図１はこたつ、例えばテーブルこたつ兼用のこたつの正面図を示し、同図中１は、こたつやぐら（本願のやぐら部に相当）である。こたつやぐら１は、例えば天板部２と同天板部２を支える脚部３とから構成されている。天板部２は、例えば図３に示されるような角形の枠部４と、同枠部４の内部の井桁状の桟部材５とを有して、角形に構成されている。そして、井桁中央に形成された角形の開口部６をヒータ設置用の開口に定めてある。脚部３は、枠部４の各角部にそれぞれ取り付いた和式の部屋で使用する低位な脚部材７を有している。またこれら脚部材７には、それぞれ補助脚部材８が継ぎ足されていて、天板部２の高さをテーブル高さ寸法にまで高くした脚部３を構成している。
【００１８】
一方、図１中、１０はヒータ部、１１は同ヒータ部１０を昇降させるための昇降モジュール（本願の昇降構造に相当）を示す。このヒータ部１０ならびに昇降モジュール１１の詳細な構造が図３〜図８に渡って示されている。
【００１９】
これら機器について説明すると、ヒータ部１０は、例えば天板部２の開口部６より、若干、小さい角形のヒータ設置板部１３の下面に、各種発熱ランプやシーズ線など発熱源を有する発熱ユニット１４を組み付けて構成されている。なお、発熱ユニット１４は、ヒータ設置板部１３の周縁部に形成してあるヒータ取付枠１３ａに固定してある。
【００２０】
昇降モジュール１１は、ヒータ設置板部１３の例えば左右方向の両端部に、ヒンジ部材、例えば蝶番１６を介して、リンク部材、例えばヒータ設置板部１３の奥行き寸法と同等の寸法をもつ角形の板部材よりなる一対の昇降羽板１５を折り曲げ可能（回動可能）に連結して構成されている。なお、各昇降羽板１５の自由端の端部幅方向両側には、例えば短柱状の凸部で形成される一対の係止爪１７が形成してある。また各昇降羽板１５の自由端側の板面には、例えば細長の通孔で形成される一対の握持部１８（操作部）が形成されていて、両握持部１８を握持して、図３（ｂ）に示されるように昇降羽板１５を延ばすと、ヒータ部１０と両昇降羽板１５とが平板状に連なる姿勢が形成されるようにしている。昇降モジュール１１は、この左右方向に延びた姿勢のまま、ヒータ部１０を天板部２の開口部６に位置合わせしつつ、天板部２の上面に載せると、ヒータ部１０が開口部６に配置されるモード、すなわち天板部２の高さと同等高さにヒータ部１０が位置決められる通常モード（本願の第１モードに相当）が形成される。また昇降モジュール１１は、両握持部１８を握持して、図３（ａ）に示されるように昇降羽板１５を向き合う側へ折り曲げると、ヒータ部１０が最前位置に配置されたコ字形の姿勢が形成されるようにしている。  この姿勢から、図１に示されるように最前位置に配置されているヒータ部１０を天板部２の開口部６へ落とし込んで、各昇降羽板１５端に有る係止爪１７を、隣接する桟部材５に上面に係止させると、ヒータ部１０が開口部６から吊り下げられるモード、すなわち通常モードのときより低い地点にヒータ部１０が位置決められるテーブルこたつモード（本願の第２モードに相当）が形成される。なお、吊り下げた昇降羽板１６が所期の地点で位置決められるよう、各係止爪１７が載る各桟部材５（奥行き方向に有る）の上面には、位置決め部として、係止爪１７と嵌り合う角形の溝部１９が形成してある。
【００２１】
つまり、ヒータ部１０は、昇降モジュール１１の姿勢変化により、適宜、ヒータ位置（高・低）が切り替えられるようにしている。
【００２２】
また溝部１９をもつ各桟部材５（奥行き方向に有る）には、通常モード時における昇降モジュール１１の係止爪１７と嵌合する角形の溝部２０が形成されている。この溝部２０により、同モード時の昇降モジュール１１が所期の地点に位置決められるようにしている。さらに図３（ｃ）に示されるように同通常モード時のとき、発熱ユニット１４のヒータ取付枠１３ａは、重なる桟部材５（奥行き方向に有る）の外側から螺挿される固定ねじ２１によって固定される構造ともなっていて（本願の固定手段に相当）、通常モードで使用中、ヒータ部１０の移動（位置ずれ）が抑えられるようにしている。
【００２３】
他方、テーブルこたつモード時の昇降モジュール１１には、規制手段として、ヒータ部１０の触れを規制する規制構造２３が付加される構造になっている。同構造２３には、例えば図３（ａ），（ｂ）に示されるようにテーブルこたつモードでセットした昇降羽板１５の端部間を囲う着脱式の囲い板２４（本願の板状部材に相当）を取り付ける構造が用いられる。詳しくは、囲い板２４には、テーブルこたつモード時の昇降羽板１５、ヒータ設置板部１３で囲まれる開口を塞ぐ角形の形状で、一部に通気孔２５ａを有する板部材が用いられる。また囲い板２４を取り付ける構造には、図３（ａ）、（ｂ）に示されるように昇降羽板１５の背面（内面）の幅方向両端側、ヒータ設置板部１３の背面の幅方向両端側、他方の昇降羽板１５の背面（内面）の幅方向両端側に、それら部材間を連続するように一対の溝部２６を平行に形成した構造が用いられている。すなわち、一対の昇降羽板１５に形成された溝部２６は、いずれも図３（ａ）に示されるようにテーブルこたつモード時、互いに向き合い、テーブルこたつモードのとき、囲い板２４が、向き合う溝部２６間を通じて、ヒータ設置板部１３の溝部２６と突き当たるまで差し込めるようにしている。つまり、規制構造２３は、昇降羽板１５間の開口を囲い板２４で囲うことで、昇降羽板１５やヒータ部１０の動きを、囲い板２４の剛性にて規制するようにしてある。
【００２４】
つぎに、ヒータ部１０の位置替えの仕方を説明する。
【００２５】
通常の天板部２と同等高さにヒータ部１０をセットするときは、図３（ｂ）に示されるように、例えば昇降モジュール１１の各昇降羽板１５を延ばして、ヒータ部１０と平板状に連なる状態にしてから、図４に示されるようにヒータ部１０が開口部６に配置、各昇降羽板１５が開口部６を挟む左右両側に配置されるよう、天板部２の井桁部分の上面に載せる。この載せる際、各昇降羽板１５の端部の一対の係止爪１７を、隣接した奥行き方向の桟部材５に有る溝部１９に嵌め込んで、昇降モジュール全体を位置決める。その後、ヒータ部１０が強固に固定されるよう、固定ねじ２１でヒータ取付枠１３ａを固定すると、図２に示されるように開口部６内にヒータ部１０が配置される姿勢、すなわちヒータ部１０が天板部２の同等の高さに組み付く姿勢が得られる（通常モード）。
【００２６】
この状態から、図１に示されるようなテーブルこたつに適した地点にヒータ部１０を位置替えするときは、まず、図３に示す通常モードの状態から、ヒータ部１０を固定していた固定ねじ２１を取り外す。ついで、図４に示されるように握持部１８を握持して、ヒータ部１０両側の昇降羽板１５を起こしつつ、ヒータ部１０を下げる。これにより、図６に示されるように昇降モジュール１１の最前部となるヒータ部１０は、天板部２の中央の開口部６から、下側へ落とし込まれる。ついで、落とし込みながら、昇降羽板１５の最後尾に有る一対の係止爪１７を、隣接した桟部材５の上面にある溝部１９に嵌め込んで、開口部６の開口縁に係止させる。これにより、開口部６の下側の地点にヒータ部１０が配置される。つまり、ヒータ部１０は、天板部２から離れた下側の地点、すなわちテーブルこたつとして適切な位置に組み付くこととなる（テーブルこたつモード）。
【００２７】
この後、図７に示されるように向き合う昇降羽板１５の溝部１６間にそれぞれ囲い板２４を差し込んで、図８に示されるようにヒータ部１０の背面と開口部６との間の周りを囲うことにより、ヒータ部１０の振れ止め、さらにはコタツを使用する人の脚先がヒータ部１０の背面側の空間へ進入するおそれのない構造のテーブルこたつが形成される。
【００２８】
このように通常こたつからテーブルこたつへ切り替える際のヒータ部１０の位置替えは、ヒータ部１０を一対の昇降羽板１５と共に天板部２上に載せたり、ヒータ部１０を天板部の開口部６から落とし込むといった簡便な作業で迅速に行うことができる。しかも、同位置替えを行う昇降モジュール１１は、ヒータ部１０に、リンク部材となる一対の昇降羽板１５を組み合わせるといった簡単ですむ。そのうえ、同モジュール１１は、コスト的な負担が少なく、安価である。
【００２９】
特に昇降モジュール１１は、通常モード時、天板部２に固定ねじ２１で固定される構造としてあるので、通常モード時、ヒータ部１０が位置ずれすることはなく、常に安定したヒータ部１０の姿勢で、こたつの使用できる。
【００３０】
そのうえ、テーブルこたつモード時のヒータ部１０は、昇降羽板１５間に介装される囲い板２４によって左右に振れないようにしてあるので、こたつを使用する人に不快感を与えずにすむ。しかも、囲い板２４は、ヒータ部１０の振れを防ぐだけでなく、ヒータ部１０の背面側を囲うことで、温度上昇するヒータ部１０の背面側へ、こたつを使用する人の脚先が進入するのを阻止するガードとして機能するので、こたつを使用する人の脚先が高温となる部分に触れるのを防ぐことができる。特に昇降羽板１５を併用してヒータ部１０の背面側の周り四方向を壁で囲うようにすると、最も高い安全性が確保できる。
【００３１】
なお、本発明は上述した一実施形態に限定されるものではなく、本発明の主旨を逸脱しない範囲内で種々変更して実施しても構わない。例えば一実施形態では、テーブルこたつと通常こたつとの兼用のこたつに本発明を適用したが、これに限らず、テーブルこたつ単機能のこたつにも適用してもよい。また一実施形態では、こたつの使用形態に応じて、ヒータ部の位置替えを行ったが、これに限らず、ヒータを使用しないときにも、天板部上にリンク部材を載せてヒータ部を天板部の開口部に配置するようにしてもよく、その使い方には限定されるものではない。また一実施形態では、リンク部材として、板状部材、すなわち昇降羽板を採用したが、これに限らず、杆状部材を組み合わせた構造体を用いてもよい。さらに一実施形態では、複数本の脚部を有するやぐら部をもつこたつに本発明を適用したが、これに限らず、一本の脚部で天板部を支持する構造のやぐら部をもつこたつにも、本発明を適用してもよい。
【図面の簡単な説明】
【００３２】
【図１】本発明の一実施形態に係るこたつの構造を、テーブルこたつとして使用する状態と共に示す正面図。
【図２】ヒータ部が天板部に配置された状態を示す正面図。
【図３】ヒータ部の位置替えを行う昇降モジュールの構造を説明するための斜視図。
【図４】ヒータ部が天板部の開口部に配置される通常モードの状態を示す斜視図。
【図５】同ヒータ部を天板部の開口部へ落とし込む作業を説明する斜視図。
【図６】同ヒータ部が天井部の開口部へ落とし込まれた状態を示す斜視図。
【図７】同ヒータ部の背面側を囲う囲い板を取り付ける作業を説明する斜視図。
【図８】同ヒータ部の位置替えを終えた状態を示す斜視図。
【符号の説明】
【００３３】
１…こたつやぐら（やぐら部）、２…天板部、６…開口部、１０…ヒータ部、１１…昇降モジュール（昇降構造）、１５…昇降羽板（リンク部材）、１７…係止爪、２１…固定ねじ（固定手段）、２３…規制構造（規制手段）、２４…囲い板（板状部材）。
【図１】
2006064204.tif 000003
【図２】
2006064204.tif 000004
【図３】
2006064204.tif 000005
【図４】
2006064204.tif 000006
【図５】
2006064204.tif 000007
【図６】
2006064204.tif 000008
【図７】
2006064204.tif 000009
【図８】
2006064204.tif 000010